(57)【要約】【課題】パイプスライド式のハンドル高さ調節機構を生かすため、パイプ内部に支持部材を入れずに折り畳み椅子をパイプに強固に支持する。【解決手段】大径パイプ２の上端側面に設けられた開口に嵌合するピン３６が、大径パイプ２の外周面から外方に突出している外方部分と、大径パイプ２の外周面から内方に延びるが内周面を越えない内方部分とを有する。大径パイプ２の上端周囲に設けられた下側取り付け部材２７が、ピン３６の外方部分と係合することにより上方スライド移動を抑止されている。大径パイプ２の上端面に隣接し且つ小径パイプ８の周囲に設けられた上側取り付け部材３３が、自身の下端面を大径パイプ２の上端面に当接させることにより、下方スライド移動を抑止されている。下側および上側取り付け部材２７、３３を互いに相対移動しないように締結手段４２で締結する。下側または前記上側取り付け部材２７、３３に椅子の座部ロッドの後端とを連結する。【選択図】  図１０
2010184536.tif 000002
【特許請求の範囲】
【請求項１】
ショッピングカーであって、
下端に車輪を取り付けられた一対の本体フレームパイプを有する本体フレームと、
前記一対の本体フレームパイプのそれぞれの上端から上方に延びる一対のハンドルフレームパイプを有するハンドルフレームと、
前記本体フレームに取り付けられたショッピングバッグと、
前記ショッピングバッグと反対側にて前記本体フレームに取り付けられた折り畳み可能な椅子と、
を備え、
折り畳み可能な前記椅子が、展開状態において、
前記一対の本体フレームパイプの上部に後端を枢着されて前方に延びる一対の座部ロッドと、
前記座部ロッドの前端に上端を枢着されて下方に延びる一対の前脚ロッドと、
前記前脚ロッドの下部に前端を枢着されて後方に延びる一対の前脚支持ロッドと、
前記本体フレームパイプの下部に下端を枢着されて上方かつ前方に延び、前記座部ロッドの前方下面に隣接する上端を有し、自身の下部にて前記前脚支持ロッドの後端を枢着している一対の斜めロッドと、
前記一対の斜めロッドの前記上端どうしを連結する水平ロッドと、
前記一対の座部ロッドの下面に設けられ、前記水平ロッドを前記一対の座部ロッドの下面に沿って前後にスライド移動可能なように案内する一対の案内部材と、
前記一対の斜めロッドの少なくとも一方の前記上端と前記水平ロッドとの連結部近傍と、前記少なくとも一方の斜めロッドと同じ側の前記前脚ロッドの上部との間に設けられた引っ張りばねと、
を備え、
前記水平ロッドを後方にスライド移動させることにより、前記斜めロッドおよび前記座部ロッドが後方に枢動せしめられ、同時に前記前脚ロッドが前記本体フレームに向かって移動し且つ前記前脚支持ロッドが後方に枢動し、それによって前記椅子が前記本体フレームに沿うように折り畳まれるようになされており、
前記引っ張りばねは、前記椅子が展開状態のときは、前記水平ロッドを前方に付勢することにより、前記椅子が不用意に折り畳まれることを防止し、前記椅子が折り畳み状態のときは、前記前脚ロッドを前記座部ロッドに引きつけるように付勢することにより、前記椅子が不用意に展開することを防止するようになされている、
ショッピングカー。
【請求項２】
ショッピングカーであって、
下端に車輪を取り付けられた一対の大径パイプを有する本体フレームと、
前記一対の大径パイプのそれぞれの上端から入れ子式に挿入され、上下にスライド移動可能な一対の小径パイプを有するハンドルフレームと、
前記ハンドルフレームを調節可能な高さ位置に保持するためのハンドル高さ位置決め機構と、
前記本体フレームに取り付けられたショッピングバッグと、
一対の座部ロッドを有する折り畳み可能な椅子と、
前記ショッピングバッグと反対側にて前記椅子の前記一対の座部ロッドを前記本体フレームに取り付けて支持するための支持機構と、
を備え、
前記支持機構が、
前記大径パイプの上端側面に設けられた開口に嵌合するピンにして、前記大径パイプの外周面から半径方向外方に突出している外方部分と、前記大径パイプの外周面から半径方向内方に延びるが前記大径パイプの内周面を越えない内方部分とを有するピンと、
前記大径パイプの上端周囲に設けられた下側取り付け部材にして、前記ピンの前記外方部分と係合することにより前記大径パイプに沿った上方スライド移動を抑止されている下側取り付け部材と、
前記大径パイプの上端面に隣接し且つ前記小径パイプの周囲に設けられた上側取り付け部材にして、自身の下端面が前記大径パイプの前記上端面と当接することにより前記小径パイプに沿った下方スライド移動を抑止されている上側取り付け部材と、
前記下側取り付け部材と前記上側取り付け部材とを互いに相対移動しないように締結する締結手段と、
前記下側取り付け部材または前記上側取り付け部材と前記座部ロッドの後端とを連結する連結手段と、
を備え、
前記小径パイプが前記大径パイプ内を上下にスライド移動することを許容しつつ前記椅子の前記座部ロッドを本体フレームに取り付けて支持可能な、ショッピングカー。
【発明の詳細な説明】
【技術分野】
【０００１】
本発明は、折り畳み椅子付きのショッピングカーに関する。
【背景技術】
【０００２】
車輪付きのショッピングカーは、本体フレームに取り付けたショッピングバッグに入れた荷物を楽に運ぶことができて便利である。
【０００３】
使用者の身長や使い勝手に合わせるために、また、不使用時にコンパクトな大きさとするために、ハンドルフレームの長さ（高さ）を調節可能にしたものが知られている。典型的には、本体フレームを構成する一対の大径パイプのそれぞれの上端から、ハンドルフレームを構成する一対の小径パイプを入れ子式に挿入し、上下にスライド移動可能にしたものが知られている。
【０００４】
一方、ショッピングバッグが取り付けられる側と反対側に折り畳み椅子を取り付け、疲れたときに椅子を展開して腰掛けられるようにしたものが知られている。使用者の体重を支えるため、椅子は本体フレームに強固に取り付けられねばならない。そのため従来は、本体フレームを構成するパイプを半径方向に貫通する部材を利用し、椅子を取り付けていた。
【０００５】
このような構成にすると、パイプを半径方向に貫通する部材が邪魔になって、上述した入れ子式パイプによるハンドルフレームの高さ調節機構を採用することができない。したがって、折り畳み椅子を取り付ける場合には、ハンドルフレームは高さを調節できないものとするか、あるいは、ハンドルフレームを関節部で折り畳む形式のものにするしかなかった。
【０００６】
また、椅子が不用意に折り畳み状態から展開状態へ、または、展開状態から折り畳み状態へと変化してしまうのを防止するため、一般的にはストッパが設けられる。従来は、椅子を別の状態へと変化させる場合、最初にストッパを解除する作業が必要であった。
【発明の概要】
【発明が解決しようとする課題】
【０００７】
本発明の課題は、ストッパを解除するのに特別な作業を必要とせず、取り付けられた椅子の展開および折り畳みが簡単にできるショッピングカーを提供することにある。
【０００８】
また本発明のもう一つの課題は、スライド式のハンドル高さ調節機構を生かしつつ、折り畳み椅子が強固に取り付けられたショッピングカーを提供することにある。
【課題を解決するための手段】
【０００９】
最初の課題を解決するため、本発明によれば、
ショッピングカーであって、
下端に車輪を取り付けられた一対の本体フレームパイプを有する本体フレームと、
前記一対の本体フレームパイプのそれぞれの上端から上方に延びる一対のハンドルフレームパイプを有するハンドルフレームと、
前記本体フレームに取り付けられたショッピングバッグと、
前記ショッピングバッグと反対側にて前記本体フレームに取り付けられた折り畳み可能な椅子と、
を備え、
折り畳み可能な前記椅子が、展開状態において、
前記一対の本体フレームパイプの上部に後端を枢着されて前方に延びる一対の座部ロッドと、
前記座部ロッドの前端に上端を枢着されて下方に延びる一対の前脚ロッドと、
前記前脚ロッドの下部に前端を枢着されて後方に延びる一対の前脚支持ロッドと、
前記本体フレームパイプの下部に下端を枢着されて上方かつ前方に延び、前記座部ロッドの前方下面に隣接する上端を有し、自身の下部にて前記前脚支持ロッドの後端を枢着している一対の斜めロッドと、
前記一対の斜めロッドの前記上端どうしを連結する水平ロッドと、
前記一対の座部ロッドの下面に設けられ、前記水平ロッドを前記一対の座部ロッドの下面に沿って前後にスライド移動可能なように案内する一対の案内部材と、
前記一対の斜めロッドの少なくとも一方の前記上端と前記水平ロッドとの連結部近傍と、前記少なくとも一方の斜めロッドと同じ側の前記前脚ロッドの上部との間に設けられた引っ張りばねと、
を備え、
前記水平ロッドを後方にスライド移動させることにより、前記斜めロッドおよび前記座部ロッドが後方に枢動せしめられ、同時に前記前脚ロッドが前記本体フレームに向かって移動し且つ前記前脚支持ロッドが後方に枢動し、それによって前記椅子が前記本体フレームに沿うように折り畳まれるようになされており、
前記引っ張りばねは、前記椅子が展開状態のときは、前記水平ロッドを前方に付勢することにより、前記椅子が不用意に折り畳まれることを防止し、前記椅子が折り畳み状態のときは、前記前脚ロッドを前記座部ロッドに引きつけるように付勢することにより、前記椅子が不用意に展開することを防止するようになされている、
ショッピングカーが提供される。
【００１０】
２番目の課題を解決するため、本発明によれば、
ショッピングカーであって、
下端に車輪を取り付けられた一対の大径パイプを有する本体フレームと、
前記一対の大径パイプのそれぞれの上端から入れ子式に挿入され、上下にスライド移動可能な一対の小径パイプを有するハンドルフレームと、
前記ハンドルフレームを調節可能な高さ位置に保持するためのハンドル高さ位置決め機構と、
前記本体フレームに取り付けられたショッピングバッグと、
一対の座部ロッドを有する折り畳み可能な椅子と、
前記ショッピングバッグと反対側にて前記椅子の前記一対の座部ロッドを前記本体フレームに取り付けて支持するための支持機構と、
を備え、
前記支持機構が、
前記大径パイプの上端側面に設けられた開口に嵌合するピンにして、前記大径パイプの外周面から半径方向外方に突出している外方部分と、前記大径パイプの外周面から半径方向内方に延びるが前記大径パイプの内周面を越えない内方部分とを有するピンと、
前記大径パイプの上端周囲に設けられた下側取り付け部材にして、前記ピンの前記外方部分と係合することにより前記大径パイプに沿った上方スライド移動を抑止されている下側取り付け部材と、
前記大径パイプの上端面に隣接し且つ前記小径パイプの周囲に設けられた上側取り付け部材にして、自身の下端面が前記大径パイプの前記上端面と当接することにより前記小径パイプに沿った下方スライド移動を抑止されている上側取り付け部材と、
前記下側取り付け部材と前記上側取り付け部材とを互いに相対移動しないように締結する締結手段と、
前記下側取り付け部材または前記上側取り付け部材と前記座部ロッドの後端とを連結する連結手段と、
を備え、
前記小径パイプが前記大径パイプ内を上下にスライド移動することを許容しつつ前記椅子の前記座部ロッドを本体フレームに取り付けて支持可能な、ショッピングカーが提供される。
【発明の効果】
【００１１】
本願の第１発明によれば、一つの引っ張りばねが、椅子が不用意に展開したり折り畳まれるのを防止するストッパになり、このストッパは、椅子を意図的に展開したり折り畳んだりするときの動作によって自動的に解除される。したがって、椅子の展開および折り畳みの作業が簡単で楽になる。
【００１２】
本願の第２発明によれば、ピンの内方部分は大径パイプの内周面を超えて内方に延びていないので、小径パイプの通過を妨げることはない。また、椅子に座った使用者の体重の一部は、大径パイプの上端面で十分に支持することができる。したがって、折り畳み椅子付きのショッピングカーでありながら、スライド式のハンドル高さ調節機構を備えることができる。
【図面の簡単な説明】
【００１３】
【図１】本発明によるショッピングカーの通常使用時の形態を示す側面図。
【図２】図１のショッピングカーに取り付けられた椅子を展開した状態を示す側面図。
【図３】図１のショッピングカーのハンドルフレームを短縮させた状態を示す側面図。
【図４】図１のショッピングカーからショッピングバッグおよび座部クッションを取り外した状態を示す側面図。
【図５】図４と同様の図であるが、椅子を半ば展開した状態を示している。
【図６】図４と同様の図であるが、椅子を完全に展開した状態を示している。
【図７】折り畳まれた状態での椅子を示す断片斜示図。
【図８】展開した状態の椅子を示す断片斜示図。
【図９】椅子を本体フレームに取り付けて支持するための支持機構の外観を示す正面図。
【図１０】支持機構およびハンドル高さ位置決め機構の詳細を示す断片図であり、左半分は断面をとってある。
【図１１】支持機構における取り付け部材を構成する第１部材の斜示図。
【図１２】支持機構における取り付け部材を構成する第２部材の斜示図。
【図１３】支持機構におけるピンの側面図。
【発明を実施するための形態】
【００１４】
図１ないし図３は、本発明によるショッピングカーのさまざまな使用形態を示す。図１は、通常使用時の形態を示す。本体フレーム１を構成する一対の大径パイプ（本体フレームパイプ）２の下端には車輪３が取り付けられている。本体フレーム１にはショッピングバッグ４が取り付けられている。ショッピングバッグ４の下端は、折り畳み可能な荷台フレーム５に支持されている。座部クッション６を取り付けられた、折り畳み可能な椅子７は、ショッピングバッグ４とは反対側にて本体フレーム１に取り付けられている。図１において、椅子７は折り畳まれた状態にある。また、図１においては、一対の小径パイプ（ハンドルフレームパイプ）８を有して構成されるハンドルフレーム９が伸長した位置にある。使用者は、ハンドルフレームの上部を手でつかみ、ショッピングカーを図１において右方に傾斜させて荷台フレーム５の脚部を浮かせ、ショッピングカーを引いてまたは押して移動させる。
【００１５】
図２は椅子７を展開した状態である。歩くのに疲れたら、椅子７を展開して座る。使用者の体重は、椅子７の前脚部分と車輪３とで支えられ、その体重の一部は椅子７を本体フレーム１に取り付けている部分に加わることが理解されよう。
【００１６】
図３はショッピングカーを不使用時に収納するときの形態である。椅子７は折り畳まれ、ハンドルフレーム９は短縮され、ショッピングカーはコンパクトな体積となっている。可撓性のショッピングバッグ４をつぶし、荷台フレーム５を本体フレーム１側に折り畳むことにより、さらにコンパクトにすることも可能である。
【００１７】
図４ないし図９においては、構造を見やすくするため、ショッピングバッグおよび座部クッションを外して示してある。図４は椅子７を折り畳んだ状態、図５は椅子７を半ば展開した状態、図６は椅子７を完全に展開した状態を示す。図７は折り畳んだ状態の椅子７を、図８は完全に展開した状態の椅子７を、図４および図６とは異なる視点で示している。
【００１８】
これらの図から分かるように、椅子７は、展開状態（図６）において、一対の大径パイプ２の上部にて後端１０を枢着されて前方に延びる一対の座部ロッド１１を含む。さらに椅子７は、座部ロッド１１の前端１２に上端１３を枢着されて下方に延びる一対の前脚ロッド１４と、前脚ロッド１４の下部に前端１５を枢着されて後方に延びる一対の前脚支持ロッド１６と、大径パイプ２の下部に下端１７を枢着されて上方および前方に延び、座部ロッド１１の前方下面に隣接する上端１８を有し、自身の下部にて前脚支持ロッド１６の後端１９を枢着している一対の斜めロッド２０とを含んでいる。
【００１９】
さらに椅子７は、一対の斜めロッド２０の上端１８どうしを連結する水平ロッド２１と、一対の座部ロッド１１の下面に設けられ、水平ロッド２１を一対の座部ロッド１１の下面に沿って前後にスライド移動可能なように案内する一対の案内部材２２とを含む。
【００２０】
最後に椅子７が備えるのは、ストッパとして作用する引っ張りばね２３である。引っ張りばね２３は、一対の斜めロッド２０の少なくとも一方の上端１８と水平ロッド２１との連結部２４（図８）近傍と、少なくとも一方の斜めロッド２０と同じ側の前脚ロッド１４の上部との間に設けられている。
【００２１】
図６の展開状態にある椅子７を折り畳むには、水平ロッド２１の端部を持って水平ロッド２１を座部ロッド１１の下面に沿って後方にスライド移動させる。このスライド移動は案内部材２２によって確実かつスムーズに行われる。水平ロッド２１が後方へスライド移動することにより、斜めロッド２０および座部ロッド１１は後方へ枢動する。それと同時に、前脚ロッド１４は持ち上げられて本体フレーム１に向かって移動する。すると、前脚支持ロッド１６が後方へ枢動する。このようにして椅子７は全体として本体フレーム１に近づいていき（図５）、最終的には図４に示すように、椅子７は本体フレーム１に沿うように折り畳まれる。
【００２２】
図６と図５とを比較して見ると分かるように、水平ロッド２１の後方へのスライド移動は、引っ張りばね２３の力に抗して行われる。すなわち、引っ張りばね２３は、図６に示すような、椅子が展開した状態においては、椅子７が不用意に折り畳まれないように水平ロッド２１を前方に付勢するストッパとして機能している。
【００２３】
折り畳まれた椅子７を展開するには、一対の前脚ロッド１４を前方へ引けばよい。椅子７が折り畳まれた状態（図４および図７）においては、前脚ロッド１４と斜めロッド２０とが互いに重なるように近づいているので、引っ張りばね２３は図５における場合よりも縮んでいる。したがって、椅子７を展開しようとする動きは、引っ張りばね２３の力に抗して行われる。すなわち、引っ張りばね２３は、椅子７が折り畳まれた状態においては、椅子７が不用意に展開しないように前脚ロッド１４を座部ロッド１１ひいては本体フレーム１に引きつけておくように付勢するストッパとして機能している。
【００２４】
次に、椅子７の座部ロッド１１を本体フレーム１に取り付けて支持するための支持機構について説明する。スライド式のハンドル高さ調節機構は、ハンドルフレーム９を構成する一対の小径パイプ８のそれぞれが、一対の大径パイプ２の上端から入れ子式に挿入され、上下にスライド移動可能となされることを基本とする。一方、展開した椅子７に座る使用者の体重の一部を支持するため、椅子７の座部ロッド１１は本体フレーム１に対して強固に取り付けられねばならない。ただし、大径パイプ２内での小径パイプ８のスライド移動を邪魔しないよう、大径パイプ２の内部に入り込む部材は採用できない。そこで、本発明では、大径パイプ２の上端面を利用して荷重を支持することにした。
【００２５】
図１０は、ハンドル高さ位置決め機構２５とともに支持機構２６を示す断片図であり、左半分は断面をとってある。支持機構２６は、図１１に示すような下側取り付け部材２７を備える。下側取り付け部材２７は、大径パイプ２の外周面に嵌合する環状部２８と、上方支持ロッド２９（図１０）を受けるための受け部３０と、直立した板状の締結部３１とを有する。環状部２８の内周面の一部には、底付きの溝３２が形成されている。
【００２６】
支持機構２６は、図１２に示すような上側取り付け部材３３を備える。上側取り付け部材３３は、小径パイプ８の外周面に嵌合する環状部３４と、下側取り付け部材２７の締結部３１と協働する門型の締結部３５とを有する。
【００２７】
さらに支持機構２６は、図１３に示すようなピン３６を備える。ピン３６は、図１０に示すように、大径パイプ２の上端側面に設けられた開口に嵌合するように使用される。ピン３６は、大径パイプ２の外周面から半径方向外方に突出している外方部分（大径部分）３７と、大径パイプ２の外周面から半径方向内方に延びるが大径パイプ２の内周面を超えない内方部分（小径部分）３８とを有する。
【００２８】
支持機構２６を本体フレーム１に組み付けるには、まず下側取り付け部材２７を大径パイプ２に嵌合させ、下方までスライドさせる。次に、大径パイプ２の上端側面に設けた開口にピン３６を嵌合させる。それから下側取り付け部材２７を上方へスライドさせ、溝３２の底をピン３６の外方部分３７に係合させる。これにより、下側取り付け部材２７は大径パイプ２に沿った上方スライド移動を抑止される。
【００２９】
次に、上側取り付け部材３３を小径パイプ８に通し、さらにワッシャ３９を通した小径パイプ８を大径パイプ２の上端から挿入する。小径パイプ８の下端には、抜け止めピン（図示せず）が取り付けられる。抜け止めピンの頭部は、小径パイプ８の外周面から外方へわずかに突出している。ワッシャ３９の内径は、小径パイプ８の外径よりわずかに大きいが、抜け止めピンの頭部を通過させるほど大きくはない。大径パイプ２の内径は、抜け止めピンを通過させる寸法とされている。
【００３０】
上側取り付け部材３３の下端面は、ワッシャ３９を介して大径パイプ２の上端面に当接し、これによって、小径パイプ８に沿った上側取り付け部材３３の下方スライド移動は抑止される。
【００３１】
下側取り付け部材２７および上側取り付け部材３３がそれぞれ上述した位置にあるとき（図１０）、下側取り付け部材２７の締結部３１は上側取り付け部材３３の門型締結部３５に入り込む。それぞれの締結部に設けられた孔４０，４１を合わせてリベット４２のような締結手段で締結することにより、下側取り付け部材２７および上側取り付け部材３３は一体となり、本体フレーム１の大径パイプ２に対して不動状態となる。
【００３２】
椅子７の座部ロッド１１の高さ位置が大径パイプ２の上端位置と近い場合には、下側取り付け部材２７または上側取り付け部材３３に座部ロッド１１の後端１０を直接連結してもよい。しかし、そうでない場合には、下側取り付け部材２７または上側取り付け部材３３と座部ロッド１１の後端１０とを連結するための連結手段として、いくつかの部材を用いることになる。
【００３３】
図示実施態様では、座部ロッド１１の高さ位置は大径パイプ２の上端位置よりも低い。そこで、図９に示すように、座部ロッド１１を「吊る」ように支持する。一対の座部ロッド１１の後端１０は、座部ロッド取り付け部材４３によって大径パイプ２に枢動可能に取り付けられる。一対の座部ロッド取り付け部材４３間は、下方支持ロッド４４によって連結されている。一方、一対の下側取り付け部材２７間は、上方支持ロッド２９によって連結されている。上方支持ロッド２９と下方支持ロッド４４との間を一対の懸架部材４５で連結することにより、椅子７に座る使用者の体重の一部は、座部ロッド取り付け部材４３、下方支持ロッド４４、懸架部材４５および上方支持ロッド２９を備えて構成される連結手段を介して、一体となった下側取り付け部材２７および上側取り付け部材３３によって支持される。したがって本実施形態においては、下側取り付け部材２７および上側取り付け部材３３を一体に締結するリベット４２のような締結手段と併せて、上述した連結手段（４３，４４，４５，２９，）もまた、支持機構２６に含まれる。
【００３４】
次に、ハンドル高さ位置決め機構２５について説明する。この機構２５は、一対のレバー４６と、これらのレバー４６の内端に枢着された操作部材４７とを含む。上側取り付け部材３３の門型締結部３５内に入り込んだレバー４６の外端にはスロット４７が設けられ、スロット４７はリベット４２の軸部を受けている。操作部材４７を上から押すと、レバー４６の外端は外方に進み、上側取り付け部材３３の環状部３４の壁を半径方向に押す。すると環状部３４の壁の内面が小径パイプ８の外周面を押し、小径パイプ８の上下スライド移動は阻止される。この時点で一対のレバー４６は一直線になり、その姿勢を維持する。小径パイプ８をスライド移動させたいときは、操作部材４７を持ち上げればよい。
【００３５】
本明細書で開示したそれぞれの技術は、互いに自由に組み合わせることができる。
【符号の説明】
【００３６】
１  本体フレーム、  ２  大径パイプ（本体フレームパイプ）、  ３  車輪、  ４  ショッピングバッグ、  ５  荷台フレーム、  ６  座部クッション、  ７  椅子、  ８  小径パイプ（ハンドルフレームパイプ）、  ９  ハンドルフレーム、  １０  座部ロッドの後端、  １１  座部ロッド、  １２  座部ロッドの前端、  １３  前脚ロッドの前端、  １４  前脚ロッド、  １５  前脚支持ロッドの前端、  １６  前脚支持ロッド、  １７  斜めロッドの下端、  １８  斜めロッドの上端、  １９  前脚支持ロッドの後端、  ２０  斜めロッド、  ２１  水平ロッド、  ２２  案内部材、  ２３  引っ張りばね、  ２４  連結部、  ２５  ハンドル高さ位置決め機構、  ２６  支持機構、  ２７  下側取り付け部材、  ２８  上側取り付け部材、  ２９  上方支持ロッド、  ３０  受け部、  ３１  板状締結部、  ３２  底付きの溝、  ３３  上側取り付け部材、  ３４  環状部、  ３５  門型締結部、  ３６  ピン、  ３７  ピンの外方部分（大径部分）、  ３８  ピンの内方部分（小径部分）、  ３９  ワッシャ、  ４０  孔、  ４１  孔、  ４２  リベット（締結手段）、  ４３  座部ロッド取り付け部材、  ４４  下方支持ロッド、４５  懸架部材、  ４６  レバー、  ４７  スロット。
【図１】
2010184536.tif 000003
【図２】
2010184536.tif 000004
【図３】
2010184536.tif 000005
【図４】
2010184536.tif 000006
【図５】
2010184536.tif 000007
【図６】
2010184536.tif 000008
【図７】
2010184536.tif 000009
【図８】
2010184536.tif 000010
【図９】
2010184536.tif 000011
【図１０】
2010184536.tif 000012
【図１１】
2010184536.tif 000013
【図１２】
2010184536.tif 000014
【図１３】
2010184536.tif 000015